(57)【要約】【課題】ロジックゲート演算の概念を採用し、ケーブルがストレート結線かクロス結線かの自動判読と、不良の有無を迅速に判読可能な、製品の体積を減少した箱型の外観を特徴とするネットワークケーブルテスターの提供。【解決手段】外観が小さい箱型を呈するケース１を基台５にケース脚部１１を嵌装して固定し、ケース１上面に複数のディスプレイ窓１２、１３、１４、１５、１６を設置し、その底面には、ケース１内部に設置した回路板３上に設けた各ＬＬＥＤランプ３１に臨む線状の導光板２を設置し、ＬＥＤランプ３１の状態がケース１外から確認でき、テスト時は、内部のロジックゲート自動スキャンにより、即座に芯線状態とストレート結線かクロス結線かを判読し、同時に、ケーブルジャック４に設置した金属の湾曲挟み部４１が、ケーブルプラグが金属シールドで覆われているかを感知し、これら判読の結果をＬＥＤランプ３１で表示する。【選択図】　　　　図２
0003098012.tif 000002
【実用新案登録請求の範囲】
【請求項１】
主としてケース、導光板、回路板、二つのケーブルジャック、基台、電池ケースから成り、前記ケースはケース脚部を基台に嵌置して固定され、ケース上面に並列して四個ずつ計八個の芯線状態ディスプレイ窓を設け、さらに電源ディスプレイ窓、ストレート結線ディスプレイ窓、クロス結線ディスプレイ窓、ケーブルプラグタイプディスプレイ窓を設置し、前記ディスプレイ窓底面には、回路板に設けた各ＬＥＤランプに対応する線状の導光板を設置し、前記ケーブルジャックは、回路板両端下部に一つずつ固定され、回路板と接続状態を形成し、回路板下部には正極と負極の導電挟み部を設置し、下方の電池ケースを挟んで電池から電源を得、前記ケーブルジャック内部両側にそれぞれケーブルプラグが金属シールドで覆われているかを感知し、ケーブルプラグタイプディスプレイランプで知らせる構造の金属の湾曲挟み部を設け、前記回路板とケーブルジャックは基台内に設置され、両端のケーブルジャックは基台に設けた前後の開口部にそれぞれ臨み、ケーブルジャックが露出する構造を備えていることを特徴とするネットワークケーブルテスター。
【考案の詳細な説明】
【０００１】
【考案の属する技術分野】
本考案は、ネットワークケーブルの結線状態を調べ、ケーブル配線時における導通不能等の問題を排除するためのネットワークケーブルテスターに関する。
【０００２】
【従来の技術】
ローカルエリアネットワークの結線にはストレート結線とクロス結線の二種類があり、この二種類をここでは「正常結線」と呼ぶ。通信ネットワークは、ローカルエリアネットワークにおいて、エンド―エンド間のデータ伝送媒体として使われている。しかし、各メーカーが提供する周辺設備は、その設計上のデータ送信端とデータ受信端の位置が異なるため、通信ケーブルはストレート結線とクロス結線の形態があり、例えば、現在販売されているパソコン（ＰＣ）ネットワークカード、ハブ（ＨＵＢ）などの周辺機器は、そのデータ送信端がＰＩＮ１とＰＩＮ２、データ受信端がＰＩＮ３とＰＩＮ６となっており、古い周辺機器とは正反対の設計になっている。そこで、現在の機器と旧型の機器を正常に接続するために、クロス結線が生まれ、さらにその機能をテストするために、クロス結線に対応したテスターが必要とされるようになった。
【０００３】
従来の通信ネットワークテスターは、水晶発振周波数を応用してテストを行なう方法が一般的で、このような水晶発振器を採用したネットワークケーブルテスターは、発振で得た周波数回数がケーブル内の線の各対（ＬＡＮケーブルは八本の線が四対のペアを形成して結線されている）のスキャン回数となり、一分間で約２００から２５０回である。この一般に採用されている発振器の発振回数は安定しており、使用上及び操作上においても正確でエラーがないため、現在まで特に大きな改良や進歩はみられない状況である。
【０００４】
しかしながら、従来型のネットワークケーブルテスターでは、スキャン一回につき一対の結線状態を知ることしかできず、芯線に問題がある場合、どの対の芯線か推測できるのみにとどまり、例えば、第一対ＰＩＮ１とＰＩＮ２がツイストペアで、うちＰＩＮ１がオープンだとすると、第一対結線は異常であると判別されるが、そこでＰＩＮ１がオープンなのか、ＰＩＮ２がオープンなのかを判断することができない。さらに、部品の体積が大きく、製造コストが高いだけでなく、その大きな体積のために、操作が不便で、携帯に不向きである。
【０００５】
【考案が解決しようとする課題】
そこで本考案は、前記の問題に鑑みてなされたもので、ロジックゲート演算の概念を採用し、水晶発振器技術の応用のみになっている現状を突破し、ケーブルがストレート結線かクロス結線かの自動判読ができ、ケーブル状態と不良の有無を迅速に判読可能な、独特な箱型を採用した判読に便利で従来のものより体積を小さくした、理想的なネットワークケーブルテスターの提供を目的とするものである。
【０００６】
【課題を解決するための手段】
本考案のネットワークケーブルテスターは、主にケース、導光板、回路板、二つのケーブルジャック、基台、電池ケースなどの部品から成り、前記ケースはケース脚部を基台に嵌置して固定され、ケース上面に並列して四個ずつ計八個の芯線状態ディスプレイ窓を設け、さらに電源ディスプレイ窓、ストレート結線ディスプレイ窓、クロス結線ディスプレイ窓、ケーブルプラグタイプディスプレイ窓を設置し、前記ディスプレイ窓底面には、回路板に設けた各ＬＥＤランプに対応する線状の導光板を設置し、前記ケーブルジャックは、回路板両端下部に一つずつ固定され、回路板と接続状態を形成し、回路板下部には正極と負極の導電挟み部を設置し、下方の電池ケースを挟んで電池から電源を得、前記ケーブルジャック内部両側にそれぞれ金属の湾曲挟み部を設け、前記湾曲挟み部はケーブルプラグが金属シールドで覆われているかを感知し、前記回路板とケーブルジャックは基台内に設置され、両端のケーブルジャックは基台に設けた前後の開口部にそれぞれ臨み、ケーブルジャックが露出する構造で、外観は体積が小さい箱型である。
【０００７】
【考案の実施の形態】
以下、本考案のネットワークケーブルテスターを図面に基づいて詳細に説明する。
図１に本考案のネットワークケーブルテスターの外観斜視図を示す。本考案のネットワークケーブルテスターは、箱型の外観で、主にロジックゲート自動スキャン構造を利用して成り、８ビットマイクロプロセッサ集積回路を回路板３上に施設し、さらに、プログラミング言語処理によりピンの入出力を設定する。そのうちショートテスト構造は、電気コンセントの一端からあるピンに高電圧を送り（デジタル回路においては、高電圧は１またはＨＩＧＨの信号で、低電圧は０またはＬＯＷの信号である）、さらに他端からデータを読み取り、ここで二組または三組が同時に信号を受信した場合、この二組または三組はショートを起こしていることを意味し、結線ディスプレイランプが点滅して通知する。また、オープンテスト構造は、電気コンセントの一端から一組の高圧信号を送り、他端がこの信号を受信しなかった場合、この線はオープンであることを意味し、結線ディスプレイランプは点灯しない。これらの構造を利用し、スキャン方式でテストを行い、各組の接続が正常か、オープンかショートかをテストする。
【０００８】
図２に示すように、本考案のネットワークケーブルテスターは、主にケース１、導光板２、回路板３、二つのケーブルジャック４、基台５、電池ケース６などの部品から成り、前記ケース１は、ケース脚部１１を基台５に嵌装されて固定され、ケース１上面に並列して四個ずつ計八個の芯線状態ディスプレイランプ窓１２を設け、さらに電源ディスプレイ窓１３、ストレート結線ディスプレイ窓１４、クロス結線ディスプレイ窓１５、ケーブルプラグタイプディスプレイ窓１６を設置し、前記ディスプレイ窓底面にあたるケース１内側には、線状の導光板２を設置する。また、回路板３上に設けた八個の結線状態ディスプレイランプ、電源ディスプレイランプ、ストレート結線ディスプレイランプ、クロス結線ディスプレイランプ、ケーブルプラグタイプディスプレイランプなどを含むＬＥＤランプ３１に対応し、ＬＥＤランプ３１の発する光が導光板２を通過して各ディスプレイ窓から見える構造である。
【０００９】
前記ケーブルジャック４は、回路板３の両端下部に一つずつ固定され、回路板３と接続状態を形成し、図４の回路板３の回路図に示すように、前記各ＬＥＤランプ３１もケーブルジャック４と接続状態を形成し、さらに、回路板３の底部には、正極と負極の導電挟み部３２を設置し、下方の電池ケース６内の電池を挟み、電源を得る。また、前記ケーブルジャック４内部両側に、それぞれ金属の湾曲挟み部４１を設け、前記湾曲挟み部４１は、ケーブルプラグＡがケーブルジャック４に挿入されると、ケーブルプラグＡが金属シールドで覆われているか否かを感知し、ケーブルプラグタイプディスプレイＬＥＤランプ３１で判読結果を知らせる。
【００１０】
前記回路板３とケーブルジャック４は基台５内に設置され、回路板３底部の両端に一つずつ設置されたケーブルジャック４は、基台５の両端に設けた開口部５１にそれぞれ臨み、ケーブル差込み口４２を形成し、ケーブル差込み口４２は露出した形となる。
【００１１】
図３に示すように、ネットワークケーブルＢ（購入した型式、自作のケーブルまたはケーブルプラグ）をテストする場合、導通させたネットワークケーブルまたは単独のネットワークケーブル両端のケーブルプラグＡを、テスター両側の前記ケーブルジャック４内に挿入し、内部のロジックゲート自動スキャンを経て、すぐに結線状態（各芯線状態）と、異なる結線状態（ストレート結線またはクロス結線）を判読し、前記ＬＥＤランプ３１で表示する。このため、本考案のネットワークケーブルテスターの構造によれば、テスト時の煩雑な手順を簡略化し、テストにかかる時間と労力を要する手順を省くことができ、問題の発生を防ぐことができる。
【００１２】
図５、図６、図７に示すように、テスト時に発生可能な状態について、１７種の実施例を紹介する。
第１種：ＴＩＡ／ＥＩＡクロス結線で、正常結線であるため、クロス結線ディスプレイランプと八個の芯線状態ディスプレイランプがすべて点灯する。
第２種：ＴＩＡ／ＥＩＡストレート結線で、正常結線であるため、ストレート結線ディスプレイランプ八個の芯線状態ディスプレイランプがすべて点灯する。
第３種：ＴＩＡ／ＥＩＡストレート結線と判定され、誤配線のため、クロス結線ディスプレイランプとストレート結線ディスプレイランは共に点灯せず、芯線状態ディスプレイランプは、ピン１とピン３が誤配線のため１と３が点滅状態になり、エラーを表示し、残りのランプは正常に点灯する。
第４種：ＴＩＡ／ＥＩＡストレート結線と判定され、線がショート及びオープンのため、クロス結線ディスプレイランプとストレート結線ディスプレイランプは共に点灯せず、芯線状態ディスプレイランプは、ピン１、２、３、６が誤配線のため、１、２、３、６が点滅状態になり、エラーを表示し、残りのランプは正常に点灯する。
第５種：ＴＩＡ／ＥＩＡストレート結線と判定され、線がショート及びオープンのため、クロス結線ディスプレイランプとストレート結線ディスプレイランプは共に点灯せず、芯線状態ディスプレイランプは、ピン１、２、３、６、４が誤配線のため、１、２、３、６、４が点滅状態になり、エラーを表示し、残りのランプは正常に点灯する。
第６種：ＴＩＡ／ＥＩＡストレート結線と判定され、線がショート及びオープンのため、クロス結線ディスプレイランプとストレート結線ディスプレイランプは共に点灯せず、芯線状態ディスプレイランプは、ピン１、２、３、６が誤配線のため、１、２、３、６が点滅状態になり、エラーを表示し、残りのランプは正常に点灯する。
第７種：ＴＩＡ／ＥＩＡストレート結線と判定され、線がショートのため、クロス結線ディスプレイランプとストレート結線ディスプレイランプは共に点灯せず、芯線状態ディスプレイランプは、ピン１、２が誤配線のため、１、２が点滅状態になり、エラーを表示し、残りのランプは正常に点灯する。
第８種：ＴＩＡ／ＥＩＡストレート結線と判定され、線がオープンのため、クロス結線ディスプレイランプとストレート結線ディスプレイランプは共に点灯せず、芯線状態ディスプレイランプは、ピン３、６がオープンのため、３、６が消灯状態になり、オープン未接続を表示し、残りのランプは正常に点灯する。
第９種：ＴＩＡ／ＥＩＡストレート結線と判定され、このオープン結線はピン４、５で結線判定に影響しないため、ストレート結線ディスプレイランプが点灯し、芯線状態ディスプレイランプは、ピン４、５がオープンのため、４、５が消灯状態になり、残りのランプは正常に点灯する。
第１０種：ＴＩＡ／ＥＩＡストレート結線と判定され、このショート結線はピン４、５で結線判定に影響しないため、ストレート結線ディスプレイランプが点灯し、芯線状態ディスプレイランプは、ピン４、５がショートのため、４、５が点滅状態になり、残りのランプは正常に点灯する。
第１１種：ＴＩＡ／ＥＩＡストレート結線と判定され、この誤配線はピン４、５で結線判定に影響しないため、ストレート結線ディスプレイランプが点灯し、芯線状態ディスプレイランプは、ピン４、５がエラーのため、４、５が点滅状態になり、残りのランプは正常に点灯する。
第１２種：ＴＩＡ／ＥＩＡストレート結線と判定され、このオープン結線はピン４、５で結線判定に影響しないため、ストレート結線ディスプレイランプが点灯し、芯線状態ディスプレイランプは、ピン４、５がオープンのため、４、５が消灯状態になり、残りのランプは正常に点灯する。
第１３種：ＴＩＡ／ＥＩＡストレート結線と判定され、このショート結線はピン４、５で結線判定に影響しないため、ストレート結線ディスプレイランプが点灯し、芯線状態ディスプレイランプは、ピン４、５がショートのため、４、５が点滅状態になり、残りのランプは正常に点灯する。
第１４種：ＴＩＡ／ＥＩＡストレート結線と判定され、この誤配線はピン４、５で結線判定に影響しないため、ストレート結線ディスプレイランプが点灯し、芯線状態ディスプレイランプは、ピン４、５がエラーのため、４、５が点滅状態になり、残りのランプは正常に点灯する。
第１５種：ＴＩＡ／ＥＩＡストレート結線と判定され、このショート結線はピン１−８で、誤配線のためクロス結線ディスプレイランプとストレート結線ディスプレイランプは共に点灯せず、芯線状態ディスプレイランプは、すべてのピンがショートのため、すべてのランプが点滅状態になる。
第１６種：ＴＩＡ／ＥＩＡストレート結線と判定され、このオープン結線はピン１−８で、オープンの影響のため、クロス結線ディスプレイランプとストレート結線ディスプレイランプは共に点灯せず、芯線状態ディスプレイランプは、すべてのピンがオープンのため、すべてのランプが消灯状態になる。
第１７種：ＴＩＡ／ＥＩＡストレート結線と判定され、このショート結線はピン８とアースで、結線判定に影響しないため、ストレート結線ディスプレイランプが点灯し、芯線状態ディスプレイランプはピン８とアースがショートのため、ピン８とＳＴＰが点滅し、残りのランプは正常に点灯する。
【００１３】
【考案の効果】
本考案は、時代のニーズに対応して、クロス結線のテスト機能を備えており、８個の芯線状態ディスプレイランプのほか、ストレート結線か、クロス結線か、ケーブルプラグが金属シールドで覆われているかどうか、という三点を判別して表示する各ディスプレイランプを備えており、多方面の判別表示機能を有し、前記複数のディスプレイランプを利用して、線のショート、オープン、正常などの状態をはっきりと表示し、使用、判読、操作などすべてを迅速かつ簡単に行なうことができる。また、ストレート結線／クロス結線の自動判別だけでなく、同時にケーブルプラグタイプ（金属シールドに覆われているか）の判別もできる。さらに、従来型のテスターと比べ、本考案のケーブルテスターは、製造コストが低いだけでなく、箱型のデザインで製品の体積も従来型の３分の１にでき、操作においては手のひらに載せて使用でき、携帯時にはポケットへ入れて持ち運ぶことができるため、利便性が非常に高い。
【図面の簡単な説明】
【図１】本考案のネットワークケーブルテスターにおける一実施の形態の例外観斜視図である。
【図２】本考案についての実施の形態についてのネットワークケーブルテスターの内部構造の分解斜視図である。
【図３】本考案についての実施の形態についてのネットワークケーブルテスターの操作実施例を示す側面図である。
【図４】本考案についての実施のけいたいについてのネットワークケーブルテスターの電子回路図である。
【図５】本考案についての実施の形態についてのネットワークケーブルテスターのテスト施第１種〜第６種である。
【図６】図５と同じく第７種〜第１２種である。
【図７】図５と同じく第１３種〜第１７種である。
【符号の説明】
１　　　ケース
２　　　導光板
３　　　回路板
４　　　ケーブルジャック
５　　　基台
６　　　電池ケース
１１　　ケース脚部
１２　　芯線状態ディスプレイ窓
１３　　電源ディスプレイ窓
１４　　ストレート結線ディスプレイ窓
１５　　クロス結線ディスプレイ窓
１６　　ケーブルプラグタイプディスプレイ窓
３１　　ＬＥＤランプ
３２　　導電挟み部
４１　　湾曲挟み部
４２　　ケーブル差込み口
５１　　開口部
Ａ　　　ケーブルプラグ
Ｂ　　　ネットワークケーブル
【図１】
0003098012.tif 000003
【図２】
0003098012.tif 000004
【図３】
0003098012.tif 000005
【図４】
0003098012.tif 000006
【図５】
0003098012.tif 000007
【図６】
0003098012.tif 000008
【図７】
0003098012.tif 000009